(57)【特許請求の範囲】
【請求項１】
複数号機のエレベータを同時に就役させ、あるホール呼びに対して最適な号機のエレベータを選定して当該ホール呼びに応答させる群管理制御を行うエレベータの群管理制御装置において、
各階のエレベータ乗場に設置され、ホール呼びランプを有するホール呼び装置と、
複数号機のエレベータそれぞれの運行を制御する複数の単体制御装置と、
前記複数の単体制御装置それぞれに並設され、マスク情報を供する複数の群管理サブ制御装置と、
前記単体制御装置それぞれと通信し、エレベータ各号機の運行情報を取得し、新たに発生したホール呼びに対して最適な号機のエレベータを選定して該当する前記単体制御装置に当該ホール呼びに対する応答指令を与える群管理メイン制御装置と、
前記複数号機のエレベータそれぞれとそれに対応する前記単体制御装置それぞれとの間を結ぶ単体制御伝送ラインと、
前記群管理メイン制御装置と前記群管理サブ制御装置それぞれとの間を結ぶ群管理制御伝送ラインとを備え、
前記ホール呼び装置の１つに発生したホール呼び信号を前記単体制御伝送ラインを通じて前記単体制御装置に伝送して受付けさせ、当該単体制御装置において前記群管理サブ制御装置から得られるマスク情報と合成し、当該合成情報を前記単体制御伝送ラインを通じて前記ホール呼び装置に出力してホール呼びランプを点灯させ、前記合成情報を前記群管理制御伝送ラインを通じて他の群管理サブ制御装置各々を経て前記単体制御装置各々に送信し、それらの単体制御装置各々において前記群管理サブ制御装置各々からのマスク情報と合成し、当該合成結果の情報を各単体制御伝送ラインを通じて各ホール呼び装置に出力してホール呼びランプ各々を点灯させることを特徴とするエレベータの群管理制御装置。
【請求項２】
複数号機のエレベータを同時に就役させ、あるホール呼びに対して最適な号機のエレベータを選定して当該ホール呼びに応答させる群管理制御を行うエレベータの群管理制御装置において、
各階のエレベータ乗場に設置され、ホール呼びランプを有するホール呼び装置と、
複数号機のエレベータそれぞれの運行を制御する複数の単体制御装置と、
前記複数の単体制御装置それぞれに並設され、マスク情報を供する複数の群管理サブ制御装置と、
前記単体制御装置それぞれと通信し、エレベータ各号機の運行情報を取得し、新たに発生したホール呼びに対して最適な号機のエレベータを選定して該当する前記単体制御装置に当該ホール呼びに対する応答指令を与える群管理メイン制御装置と、
前記複数号機のエレベータそれぞれとそれに対応する前記単体制御装置それぞれとの間を結ぶ単体制御伝送ラインと、
前記群管理メイン制御装置と前記群管理サブ制御装置それぞれとの間を結ぶ群管理制御伝送ラインとを備え、
前記ホール呼び装置の１つに発生したホール呼び信号を前記単体制御伝送ラインを通じて前記単体制御装置に伝送して受付けさせ、当該単体制御装置において前記群管理サブ制御装置から得られるマスク情報と合成し、当該合成情報を前記単体制御伝送ラインを通じて前記ホール呼び装置に出力してホール呼びランプを点灯させ、前記合成情報を前記群管理制御伝送ラインを通じて前記群管理メイン制御装置及び他の群管理サブ制御装置各々に送信し、それらの群管理サブ制御装置から各単体制御装置及びそれらに接続されている各単体制御伝送ラインを通じて各ホール呼び装置に出力してホール呼びランプ各々を点灯させることを特徴とするエレベータの群管理制御装置。
【請求項３】
前記ホール呼び装置各々を、その両側に隣接するエレベータ号機に対する単体制御伝送ラインそれぞれに同時に接続したことを特徴とする請求項１又は２に記載のエレベータの群管理制御装置。
【請求項４】
前記ホール呼び装置各々を、全エレベータ号機に対する単体制御伝送ラインすべてに同時に接続したことを特徴とする請求項１又は２に記載のエレベータの群管理制御装置。
【発明の詳細な説明】
【０００１】
【発明の属する技術分野】
本発明は、エレベータの群管理制御装置に関する。
【０００２】
【従来の技術】
従来、複数号機のエレベータを同時に就役させ、あるホール呼びに対して最適な号機のエレベータを選定して当該ホール呼びに応答させる群管理制御を行うエレベータの群管理制御装置のシステム構成は、図７に示すようなものである。この従来のエレベータの群管理制御装置は、各階に就役する複数号機のエレベータかご１Ａ，１Ｂ，１Ｃ、各階のエレベータ乗場に設置されているホール呼び装置２Ａ，２Ｂ，３Ａ，３Ｂ、各エレベータかご１Ａ，１Ｂ，１Ｃそれぞれと単体制御伝送ライン４Ａ，４Ｂ，４Ｃを経由して通信し、各エレベータかごからのかご呼びを受付け、またエレベータかごの運行を個別に制御するエレベータ制御装置５Ａ，５Ｂ，５Ｃ、各号機のエレベータ制御装置５Ａ，５Ｂ，５Ｃと並設されている群管理サブ制御装置６Ａ，６Ｂ，６Ｃ、これらの群管理サブ制御装置６Ａ，６Ｂ，６Ｃと群管理制御伝送ライン７を経由して通信し、ホール呼びに対する応答指令を該当する号機の群管理サブ制御装置６Ａ，６Ｂ，６Ｃに送信し、また各号機のエレベータかご１Ａ，１Ｂ，１Ｃの運行状況、例えば、かご位置と方向、かご呼び発生状況、乗員荷重などの情報を受信し、群管理制御演算処理を実行する群管理メイン制御装置８を備えている。
【０００３】
さらに従来のエレベータの群管理制御装置は、各階のエレベータ乗場に設置されているホール呼び装置２Ａ，２Ｂ，２Ｃに対して伝送制御装置９Ａ，９Ｂ，９Ｃ、ホール呼び専用伝送ライン１０によって群管理メイン制御装置８と接続し、ホール呼びが発生したときに、ホール呼びの登録処理を高速に行うようにしている。なお、ホール呼び専用伝送ライン１０は群管理サブ制御装置６Ａ，６Ｂ，６Ｃそれぞれにも接続してある。
【０００４】
これにより、従来のエレベータの群管理制御装置では、エレベータ乗場からホール呼び装置２Ａ，２Ｂ，３Ａ，３Ｂのいずれかのホール呼びボタン（ここでは、ホール呼び装置２Ａのホール呼びボタンとする）を押すことにより、それに接続されている伝送制御装置９Ａとホール呼び専用伝送ライン１０を通じて群管理メイン制御装置８及び各群管理サブ制御装置６Ａ，６Ｂ，６Ｃに伝送し、同じ乗場階の他のホール呼び装置２Ｂにもホール呼び発生を伝える。
【０００５】
群管理メイン制御装置８はホール呼び専用伝送ライン１０を通じてホール呼びを受け取ると、そのホール呼びに対してホール呼びランプを点灯させてよいかどうか判断し、受付けを承認するとホール呼び装置２Ａのホール呼びランプを点灯させる指令を同じホール呼び専用ライン１０を通じて伝送し、またすべての群管理サブ制御装置６Ａ，６Ｂ，６Ｃに対してもホール呼び受付けを伝送し、これにより、ホール呼びの発生した階のすべてのホール呼びランプを一斉に点灯させる。
【０００６】
また群管理メイン制御装置８はホール呼び信号を受け取って各号機のエレベータの運行状況を検索し、応答するのに最適な号機のエレベータかごを選定してその号機の群管理サブ制御装置（ここでは例えば群管理サブ制御装置６Ａとする）に群管理制御伝送ライン１０を通じて応答指令を伝送する。応答指令を受けた号機の群管理サブ制御装置６Ａでは、エレベータ制御装置５Ａに群管理割付けを伝え、エレベータ制御装置５Ａは新たに発生したホール呼びに対して応答するようにエレベータかご１Ａを単体制御伝送ライン４Ａを通じて制御する。
【０００７】
【発明が解決しようとする課題】
このような構成の従来のエレベータの群管理制御装置では、単体制御伝送ライン、群管理制御伝送ラインとは別にホール呼び専用の伝送ラインを布設しているため、ホール呼びが発生したときのホール呼びの登録処理や、ホール呼び受付けを示すために同じ階のすべてのホール呼びランプを点灯させる処理を高速で行うことができて利用者を待たせない。しかしながら、高速応答性を実現するために単体制御伝送ライン、群管理制御伝送ラインとは別にホール呼び専用の伝送ラインを布設する必要があり、伝送ラインが多数本になり、施工、メンテナンス作業を複雑化し、また設置、メンテナンスコストが高くなる問題点があった。
【０００８】
本発明はこのような従来の問題点に鑑みてなされたもので、ホール呼び発生に対する応答処理の高速応答性を維持しつつも、ホール呼び専用の伝送ラインを省略することができ、施工、メンテナンス作業を簡素化し、また設置、メンテナンスコストの低減が図れるエレベータの群管理制御装置を提供することを目的とする。
【００１２】
【課題を解決するための手段】
請求項１の発明のエレベータの群管理制御装置は、複数号機のエレベータを同時に就役させ、あるホール呼びに対して最適な号機のエレベータを選定して当該ホール呼びに応答させる群管理制御を行うエレベータの群管理制御装置において、各階のエレベータ乗場に設置され、ホール呼びランプを有するホール呼び装置と、複数号機のエレベータそれぞれの運行を制御する複数の単体制御装置と、前記複数の単体制御装置それぞれに並設され、マスク情報を供する複数の群管理サブ制御装置と、前記単体制御装置それぞれと通信し、エレベータ各号機の運行情報を取得し、新たに発生したホール呼びに対して最適な号機のエレベータを選定して該当する前記単体制御装置に当該ホール呼びに対する応答指令を与える群管理メイン制御装置と、前記複数号機のエレベータそれぞれとそれに対応する前記単体制御装置それぞれとの間を結ぶ単体制御伝送ラインと、前記群管理メイン制御装置と前記群管理サブ制御装置それぞれとの間を結ぶ群管理制御伝送ラインとを備え、前記ホール呼び装置の１つに発生したホール呼び信号を前記単体制御伝送ラインを通じて前記単体制御装置に伝送して受付けさせ、当該単体制御装置において前記群管理サブ制御装置から得られるマスク情報と合成し、当該合成情報を前記単体制御伝送ラインを通じて前記ホール呼び装置に出力してホール呼びランプを点灯させ、前記合成情報を前記群管理制御伝送ラインを通じて他の群管理サブ制御装置各々を経て前記単体制御装置各々に送信し、それらの単体制御装置各々において前記群管理サブ制御装置各々からのマスク情報と合成し、当該合成結果の情報を各単体制御伝送ラインを通じて各ホール呼び装置に出力してホール呼びランプ各々を点灯させるものである。
【００１３】
請求項１の発明のエレベータの群管理制御装置では、ある階でホール呼び装置の１つにホール呼びが発生した場合、そのホール呼び信号を単体制御伝送ラインを通じて単体制御装置に伝送して受付けさせ、当該単体制御装置において群管理サブ制御装置から得られるマスク情報と合成し、当該合成情報を同じ単体制御伝送ラインを通じてホール呼びの発生したホール呼び装置に出力することによりそのホール呼びランプを点灯させる。また同時に、合成情報を群管理制御伝送ラインを通じて他の群管理サブ制御装置に送信し、これらの群管理サブ制御装置各々を経て単体制御装置各々に渡し、それらの単体制御装置各々において群管理サブ制御装置各々からのマスク情報と合成し、当該合成結果の情報を各単体制御伝送ラインを通じて各ホール呼び装置に出力して残りのすべてのホール呼びランプを点灯させる。
【００１４】
これにより、従来のホール呼び専用の伝送ラインがなくても、あるホール呼び装置のホール呼びボタンを押すことによって新たなホール呼びが発生したときには、遅れることなくその階のすべてのホール呼び装置のホール呼びランプを点灯させてホール呼び受付けを利用者に知らせる。
【００１５】
請求項２の発明のエレベータの群管理制御装置は、複数号機のエレベータを同時に就役させ、あるホール呼びに対して最適な号機のエレベータを選定して当該ホール呼びに応答させる群管理制御を行うエレベータの群管理制御装置において、各階のエレベータ乗場に設置され、ホール呼びランプを有するホール呼び装置と、複数号機のエレベータそれぞれの運行を制御する複数の単体制御装置と、前記複数の単体制御装置それぞれに並設され、マスク情報を供する複数の群管理サブ制御装置と、前記単体制御装置それぞれと通信し、エレベータ各号機の運行情報を取得し、新たに発生したホール呼びに対して最適な号機のエレベータを選定して該当する前記単体制御装置に当該ホール呼びに対する応答指令を与える群管理メイン制御装置と、前記複数号機のエレベータそれぞれとそれに対応する前記単体制御装置それぞれとの間を結ぶ単体制御伝送ラインと、前記群管理メイン制御装置と前記群管理サブ制御装置それぞれとの間を結ぶ群管理制御伝送ラインとを備え、前記ホール呼び装置の１つに発生したホール呼び信号を前記単体制御伝送ラインを通じて前記単体制御装置に伝送して受付けさせ、当該単体制御装置において前記群管理サブ制御装置から得られるマスク情報と合成し、当該合成情報を前記単体制御伝送ラインを通じて前記ホール呼び装置に出力してホール呼びランプを点灯させ、前記合成情報を前記群管理制御伝送ラインを通じて前記群管理メイン制御装置及び他の群管理サブ制御装置各々に送信し、それらの群管理サブ制御装置から各単体制御装置及びそれらに接続されている各単体制御伝送ラインを通じて各ホール呼び装置に出力してホール呼びランプ各々を点灯させるものである。
【００１６】
請求項２の発明のエレベータの群管理制御装置では、ある階でホール呼び装置の１つにホール呼びが発生した場合、そのホール呼び信号を単体制御伝送ラインを通じて単体制御装置に伝送して受付けさせ、当該単体制御装置において群管理サブ制御装置から得られるマスク情報と合成し、当該合成情報を同じ単体制御伝送ラインを通じてホール呼びの発生したホール呼び装置に出力することによりそのホール呼びランプを点灯させる。また同時に、合成情報を群管理制御伝送ラインを通じて群管理メイン制御装置と共に他の群管理サブ制御装置に送信し、これらの群管理サブ制御装置各々を経て単体制御装置各々に渡し、それらの単体制御装置各々において群管理サブ制御装置各々からのマスク情報と合成し、当該合成結果の情報を各単体制御伝送ラインを通じて各ホール呼び装置に出力して残りのすべてのホール呼びランプを点灯させる。
【００１７】
これにより、従来のホール呼び専用の伝送ラインがなくても、あるホール呼び装置のホール呼びボタンを押すことによって新たなホール呼びが発生したときには、遅れることなくその階のすべてのホール呼び装置のホール呼びランプを点灯させてホール呼び受付けを利用者に知らせる。また群管理メイン制御装置がダウンした場合にも群管理制御伝送ラインを通じて群管理サブ制御装置にホール呼び情報が保持され、継続してホール呼びの応答処理を継続する。
【００１８】
請求項３の発明のエレベータの群管理制御装置は、請求項１又は２において、前記ホール呼び装置各々を、その両側に隣接するエレベータ号機に対する単体制御伝送ラインそれぞれに同時に接続したものであり、ホール呼び受付け処理の冗長性を高い。
【００１９】
請求項４の発明のエレベータの群管理制御装置は、請求項１又は２において、前記ホール呼び装置各々を、全エレベータ号機に対する単体制御伝送ラインすべてに同時に接続したものであり、ホール呼び受付け処理の冗長性がいっそう高い。
【００２０】
【発明の実施の形態】
以下、本発明の実施の形態を図に基づいて詳説する。図１は本発明のエレベータの群管理制御装置の１つの実施の形態のシステム構成を示している。以下、図７に示した従来例と共通する部分には同一の符号を用いて説明する。図１に示した実施の形態のエレベータの群管理制御装置は、各階に就役する複数号機のエレベータかご１Ａ，１Ｂ，１Ｃ、各階のエレベータ乗場に設置されているホール呼び装置２Ａ，２Ｂ，３Ａ，３Ｂ、各エレベータかご１Ａ，１Ｂ，１Ｃそれぞれと単体制御伝送ライン４Ａ，４Ｂ，４Ｃを経由して通信し、各エレベータかごからのかご呼びを受付け、またエレベータかごの運行を個別に制御するエレベータ制御装置５Ａ，５Ｂ，５Ｃ、各号機のエレベータ制御装置５Ａ，５Ｂ，５Ｃと並設され、群管理制御伝送ライン７を制御する群管理サブ制御装置６Ａ，６Ｂ，６Ｃ、これらの群管理サブ制御装置６Ａ，６Ｂ，６Ｃと群管理制御伝送ライン７を経由して通信し、ホール呼びに対する応答指令を該当する号機の群管理サブ制御装置６Ａ，６Ｂ，６Ｃに送信し、また各号機のエレベータかご１Ａ，１Ｂ，１Ｃの運行状況、例えば、かご位置及び運転方向、かご呼びの発生状況、乗員荷重などの情報を受信し、群管理制御演算処理を実行する群管理メイン制御装置８を備えている。
【００２１】
この実施の形態のエレベータの群管理制御装置では、各階のエレベータ乗場に設置されているホール呼び装置２Ａ，２Ｂ，３Ａ，３Ｂそれぞれは、伝送制御装置９Ａ，９Ｂ，９Ｃ，９Ｄそれぞれを経由して前述の単体制御伝送ライン４Ａ，４Ｃそれぞれに接続されている。したがって、図７に示した従来例では必須であったホール呼び専用伝送ライン１０は削除されている。
【００２２】
次に、上記構成のエレベータの群管理制御装置の動作を説明する。図２は、ホール呼び装置２Ａを用いたホール呼びが発生した場合の動作のシーケンスを示している。ホール呼び装置２Ａのホール呼びボタンを利用者が押した場合、ホール呼び情報Ｓ１が制御伝送ライン４Ａを介してエレベータ制御装置５Ａに送信される。一方、群管理サブ制御装置６Ａからはマスク情報Ｓ３がエレベータ制御装置５Ａに与えられる。
【００２３】
エレベータ制御装置５Ａでは、ホール呼び情報Ｓ１とマスク情報Ｓ３との合成を行い（Ｓ２）、その合成結果Ｓ４を単体制御伝送ライン４Ａを介してホール呼び装置２Ａに出力し、そのホール呼びランプを点灯させてホール呼び受付けを利用者に知らせる（Ｓ５）。これにより、ホール呼びの受付けを従来のホール呼び専用の伝送ラインがなくても高速に処理することができる。
【００２４】
次に、１つのホール呼び装置２Ａにより登録されたホール呼びを受付けて他のホール呼び装置２Ｂのホール呼びランプを点灯させる処理について、図３のシーケンスを用いて説明する。ホール呼び装置２Ａ上のホール呼びボタンが押されると、ホール呼び情報Ｓ１１が単体制御伝送ライン４Ａを介してエレベータ制御装置５Ａに送信される。一方、群管理サブ制御装置６Ａからはマスク情報Ｓ１３がエレベータ制御装置５Ａに与えられる。
【００２５】
エレベータ制御装置５Ａでは、ホール呼び情報Ｓ１１とマスク情報Ｓ１３とを合成し（Ｓ１２）、その合成結果Ｓ１４を群管理サブ制御装置６Ａに与え、群管理サブ制御装置６Ａはこれを群管理制御伝送ライン７を介して他号機の群管理サブ制御装置６Ｃに送信する。群管理サブ制御装置６Ｃでは、受信した合成結果Ｓ１４を追加情報Ｓ１５としてマスク情報Ｓ１６と共にエレベータ制御装置５Ｃに与える。エレベータ制御装置５Ｃでは、追加情報Ｓ１５とマスク情報Ｓ１６とを合成して（Ｓ１７）、その合成結果Ｓ１８を単体制御伝送ライン４Ｃを介してホール呼び装置２Ｂに出力し、そのホール呼びランプを点灯させる（Ｓ１９）。
【００２６】
これにより、ホール呼びの受付け処理、そしてホール呼び発生階のすべてのホール呼びランプの点灯処理を従来のホール呼び専用の伝送ラインがなくても高速に行うことができる。
【００２７】
なお、群管理サブ制御装置６Ａ，６Ｂ，６Ｃに次のような機能を持たせることによって、群管理制御系の信頼性をいっそう高めることができる。すなわち、図４のシーケンスに示すように、例えばホール呼び装置２Ａのホール呼びボタンが押されたときには、ホール呼び情報Ｓ１１が単体制御伝送ライン４Ａを介してエレベータ制御装置５Ａに送信される。一方、群管理サブ制御装置６Ａからはマスク情報Ｓ１３がエレベータ制御装置５Ａに与えられる。エレベータ制御装置５Ａでは、ホール呼び情報Ｓ１１とマスク情報Ｓ１３とを合成し（Ｓ１２）、その合成結果Ｓ１４を群管理サブ制御装置６Ａに与える。そして群管理サブ制御装置６Ａはこの合成結果Ｓ１４を群管理伝送ライン７を介して群管理メイン制御装置８に送信すると共に、他の群管理サブ制御装置６Ｂ，６Ｃにも送信する（Ｓ１５）。
【００２８】
このようにして、上記の実施の形態の場合と同様に、従来必要としていたホール呼び専用の伝送ラインを不要としながらも、ホール呼びの受付け処理とホール呼びランプの点灯処理とを高速に行うことができる上に、ホール呼びの登録情報を群管理メイン制御装置８と共に他の全群管理サブ制御装置にも同時に送信することで、群管理メイン制御装置が何らかの原因でダウンした場合でも、登録されたホール呼びを取り消すことなく複数のいずれかの号機のエレベータに割当てることができる。
【００２９】
次に、本発明のエレベータの群管理制御装置の第２の実施の形態を、図５に基づいて説明する。第２の実施の形態のエレベータの群管理制御装置は、図１に示した第１の実施の形態のエレベータの群管理制御装置に対して、ホール呼び受付け処理に冗長性を持たせたことを特徴とする。以下、図１に示した第１の実施の形態と同一の部分には同一の符号を用いて説明する。
【００３０】
各階のエレベータ乗場にはホール呼び装置２Ａ，２Ｂ，３Ａ，３Ｂが設置されており、それぞれのホール呼び装置の両側のどちらにエレベータかごが到着して利用者が乗降できる場合には、その両側のエレベータかご各々に対する単体制御伝送ラインに対して伝送制御装置を用いてホール呼び装置が接続してある。つまり、ホール呼び装置２Ａ，３Ａそれぞれは、伝送制御装置９Ａ，９Ｂまた９Ｅ，９Ｆを用いて両側の単体制御伝送ライン４Ａ，４Ｂそれぞれに接続し、ホール呼び２Ｂ，３Ｂそれぞれは、伝送制御装置９Ｃ，９Ｄ又９Ｇ，９Ｈを用いて両側の単体制御伝送ライン４Ｂ，４Ｃそれぞれに接続してある。
【００３１】
そして、例えばホール呼び装置２Ａによりホール呼びが発生した場合には、ホール呼び信号は伝送制御装置９Ａ，９Ｂ、単体制御伝送ライン４Ａ，４Ｂを介して両側のエレベータ制御装置５Ａ，５Ｂに同時に送信され、これらのエレベータ制御装置５Ａ，５Ｂ、群管理サブ制御装置６Ａ，６Ｂで第１の実施の形態と同様、図２及び図３に示したシーケンスでホール呼び受付け処理とホール呼びランプの点灯処理を行う。
【００３２】
このように構成することにより、伝送制御装置の１つが故障したような場合でもホール呼び受付け処理に対する冗長性が増し、動作の信頼性が高くなる。
【００３３】
次に、本発明のエレベータの群管理制御装置の第３の実施の形態を、図６に基づいて説明する。第３の実施の形態のエレベータの群管理制御装置は、第２の実施の形態の群管理制御装置に対してさらに冗長性を高めたものである。すなわち、各階のホール呼び装置それぞれをすべての単体制御伝送ライン４Ａ，４Ｂ，４Ｃに接続している。例えば、ホール呼び装置２Ａは伝送制御装置９Ａ，９Ｂ，９Ｃによって単体制御伝送ライン４Ａ，４Ｂ，４Ｃのすべてに接続し、同様にホール呼び装置２Ｂも伝送制御装置９Ａ，９Ｂ，９Ｃによって単体制御伝送ライン４Ａ，４Ｂ，４Ｃのすべてに接続してある。
【００３４】
これにより、伝送制御装置の複数が故障しても、１台だけでも正常であればホール呼び登録処理が行なえることになり、動作の信頼性がさらに高まる。
【００３５】
【発明の効果】
以上のように請求項１の発明によれば、従来のホール呼び専用の伝送ラインがなくても、あるホール呼び装置のホール呼びボタンを押すことによって新たなホール呼びが発生したときには、遅れることなくそのホール呼び装置のホール呼びランプを点灯させてホール呼び受付けを利用者に知らせることができる。
【００３６】
【発明の効果】
請求項１の発明によれば、従来のホール呼び専用の伝送ラインがなくても、あるホール呼び装置のホール呼びボタンを押すことによって新たなホール呼びが発生したときには、遅れることなくその階のすべてのホール呼び装置のホール呼びランプを点灯させてホール呼び受付けを利用者に知らせることができる。
【００３７】
請求項２の発明によれば、従来のホール呼び専用の伝送ラインがなくても、あるホール呼び装置のホール呼びボタンを押すことによって新たなホール呼びが発生したときには、遅れることなくその階のすべてのホール呼び装置のホール呼びランプを点灯させてホール呼び受付けを利用者に知らせる。また群管理メイン制御装置がダウンした場合にも群管理制御伝送ラインを通じて群管理サブ制御装置にホール呼び情報が保持され、継続してホール呼びの応答処理を継続することができる。
【００３８】
請求項３の発明によれば、請求項１又は２の発明の効果に加えて、ホール呼び装置各々を、その両側に隣接するエレベータ号機に対する単体制御伝送ラインそれぞれに同時に接続することにより、ホール呼び受付け処理の冗長性を高めることができる。
【００３９】
請求項４の発明によれば、請求項１又は２の発明の効果に加えて、ホール呼び装置各々を、全エレベータ号機に対する単体制御伝送ラインすべてに同時に接続することにより、ホール呼び受付け処理の冗長性をいっそう高めることができる。
【図面の簡単な説明】
【図１】本発明の第１の実施の形態のシステム構成を示すブロック図。
【図２】上記の実施の形態によるホール呼び受付け処理のシーケンス図。
【図３】上記の実施の形態によるホール呼び受付け処理及び全ホール呼びランプの点灯処理のシーケンス図。
【図４】本発明の第１の実施の形態によるホール呼び受付け処理及び全ホール呼びランプの点灯処理の変形例のシーケンス図。
【図５】本発明の第２の実施の形態のシステム構成を示すブロック図。
【図６】本発明の第３の実施の形態のシステム構成を示すブロック図。
【図７】従来例のシステム構成を示すブロック図。
【符号の説明】
１Ａ，１Ｂ，１Ｃ  エレベータかご
２Ａ，２Ｂ，２Ｃ  ホール呼び装置
３Ａ，３Ｂ，３Ｃ  ホール呼び装置
４Ａ，４Ｂ，４Ｃ  単体制御伝送ライン
５Ａ，５Ｂ，５Ｃ  単体制御装置
６Ａ，６Ｂ，６Ｃ  群管理サブ制御装置
７  群管理制御伝送ライン
８  群管理メイン制御装置
９Ａ，９Ｂ，９Ｃ，９Ｄ，９Ｅ，９Ｆ  伝送制御装置
【図１】
0004387504.tif 000002
【図２】
0004387504.tif 000003
【図３】
0004387504.tif 000004
【図４】
0004387504.tif 000005
【図５】
0004387504.tif 000006
【図６】
0004387504.tif 000007
【図７】
0004387504.tif 000008